Podtech/llm-jp-corpus-v4-ja_patent huggingface dataset:
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、そのＸ線源に対向して配置され被検体のＸ線透視像を得る２次元Ｘ線検出器と、これらの２次元Ｘ線検出器とＸ線源を同一回転中心の円軌道面上で回転移動させながら、回転中心軸上に配置された被検体のＸ線透視像を前記２次元検出器により得、得られたＸ線透視像を基に３次元的Ｘ線ＣＴ像を画像再構成演算を行うことによって、画像再構成手段と画像再構成された３次元的Ｘ線ＣＴ像を表示する表示手段を備えたコーンビームＸ線ＣＴ装置において、前記回転移動の回転中心軸、前記回転移動の回転開始角度及び回転速度を含む誤差を、前記回転中心軸に略平行に配置した複数本のワイヤーを含むファントムの再構成画像を用いて計算する誤差計算手段と、該計算された誤差を用い前記３次元的Ｘ線ＣＴ像を補正する補正手段と、を備えたことを特徴とするコーンビームＸ線ＣＴ装置。
【請求項２】
前記誤差計算手段は、第１の回転角度範囲に対応する誤差と、第２の回転角度範囲に対応する誤差とをそれぞれ計算し、
前記補正手段は、前記第１の回転角度範囲の３次元的ＣＴ像をその対応する誤差を用いて補正し、
前記第２の回転角度範囲の３次元的ＣＴ像をその対応する誤差を用いて補正し、
前記補正された第１及び第２の回転角度範囲の３次元的ＣＴ像の相互の位置ずれを計算する位置ずれ計算手段と、
該計算された位置ずれに基づいて前記第１及び第２の回転角度範囲の３次元的ＣＴ像が重り合うように補正する重ね合わせ補正手段と、
を備えたことを特徴とする請求項１に記載のとするコーンビームＸ線ＣＴ装置。
【請求項３】
前記２次元Ｘ線検出器の前面に予めホールチャートファントムを設定し、設置されたホールチャートファントムについてＸ線透視像を、前記２次元検出器により撮影し、その撮影されたホールチャートの前記被検体の対軸方向に沿った軸と、前記回転中心軸の前記２次検出器の投影像の座標ねじれ角を計算する座標ねじれ角計算手段を備え、
前記補正手段は、該計算された座標ねじれ角を用い、前記３次元的Ｘ線ＣＴ像を補正することを特徴とする請求項１又は２の何れかに記載のコーンビームＸ線ＣＴ装置。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
遊技装置の動作に際して補助演出音又は補助演出光を出力する駆動手段と、その駆動手段を制御する制御手段とを備え、制御手段の制御により、少なくとも２種類の補助演出音又は補助演出光を個別に又は同時に出力する遊技機において、
前記制御手段は、補助演出音又は補助演出光を同時出力させる際に、所定の補助演出音又は補助演出光の出力が相対的に低くなるように前記駆動手段の出力を調整するものとした遊技機。
【請求項２】
前記補助演出音又は補助演出光を、遊技装置が動作している間を通じて出力される第１演出音又は第１演出光と、その第１演出音又は第１演出光の出力中に生じた遊技状況の変化に合わせて単発的に出力される第２演出音又は第２演出光とで構成し、第１演出音又は第１演出光の出力を低くするようにした請求項１に記載の遊技機。
【請求項３】
遊技装置の動作に際して補助演出音又は補助演出光を出力する駆動手段と、
補助演出音データ又は補助演出光データを記憶する記憶手段と、
記憶手段から補助演出音データ又は補助演出光データを読み出し、そのデータに基づく補助演出音又は補助演出光を駆動手段に出力させる制御手段とを備え、
補助演出音データ又は補助演出光データはそれぞれ少なくとも２種類のデータを有し、制御手段の制御により、各補助演出音データ又は補助演出光データに基づく補助演出音又は補助演出光を個別に又は重複して出力する遊技機において、
前記制御手段は、前記駆動手段の出力調整機能を有すると共に、所定の補助演出音データ又は補助演出光データに基づく補助演出音又は補助演出光の出力中に、他のデータに基づく補助演出音又は補助演出光を重複して出力させる際に、前記所定のデータに基づく補助演出音又は補助演出光の出力が他のデータに基づく補助演出音又は補助演出光のそれよりも低くなるように駆動手段の出力を調整するものとした遊技機。
【請求項４】
前記補助演出音データ又は補助演出光データを、遊技装置が動作している間を通じて出力される第１演出音又は第１演出光に対応したデータと、その第１演出音又は第１演出光の出力中に生じた遊技状況の変化に合わせて単発的に出力される第２演出音又は第２演出光に対応したデータとで構成し、第１演出音又は第１演出光の出力を低くするようにした請求項３に記載の遊技機。
【請求項５】
遊技装置の動作に際して補助演出音を出力するスピーカと、そのスピーカを制御する制御手段とを備え、補助演出音として、遊技装置が動作している間を通じて出力される楽音と、楽音の出力中に生じた遊技状況の変化を受け、楽音に重複して単発的に出力される可聴音とを有する遊技機において、
前記制御手段は、前記楽音の出力中に前記可聴音を重複して出力させる際、楽音の音量が相対的に低くなるようにスピーカの出力を調整するものとした遊技機。
【請求項６】
遊技装置の動作に際して補助演出音を出力するスピーカと、
補助演出音としての、遊技装置が動作している間を通じて出力される楽音と、楽音の出力中に生じた遊技状況の変化を受け、楽音に重複して単発的に出力される可聴音とにそれぞれ対応する楽音データ及び可聴音データを記憶する記憶手段と、
記憶手段から楽音データ又は可聴音データを読み出し、楽音又は音をスピーカに出力させる制御手段とを備え、
前記制御手段は、前記スピーカの出力調整機能を有すると共に、前記楽音の出力中に前記可聴音を重複して出力させる際、楽音の音量が可聴音のそれよりも低くなるようにスピーカの出力を調整するものとした遊技機。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
絵柄を表示する絵柄表示装置と、可聴音を出力する可聴音発生装置とを備え、遊技者に有利な特別遊技状態を発生する遊技機において、
作動条件成立を検出する作動検出手段と、
該作動検出手段による作動条件成立を示す検出結果に基づき、前記絵柄の変動表示を開始させ、予め設定された変動態様に従って変動表示させた後に該変動表示を終了させるよう前記絵柄表示装置を表示制御する表示制御手段と、
前記絵柄の変動表示の開始から終了までを１遊技回として、複数の遊技回に架かるようにして前記可聴音を出力するよう前記可聴音発生装置を制御する可聴音制御手段と、
を備えたことを特徴とする遊技機。
【請求項２】
絵柄を表示する絵柄表示装置と、可聴音を出力する可聴音発生装置とを備え、遊技者に有利な特別遊技状態を発生する遊技機において、
作動条件成立を検出する作動検出手段と、
該作動検出手段による作動条件成を示す検出結果に基づき、前記絵柄の変動表示を開始させ、予め設定された変動態様に従って変動表示させた後に該変動表示を終了させるよう前記絵柄表示装置を表示制御する表示制御手段と、
前記絵柄の変動表示の開始から終了までを１遊技回として複数の遊技回に架かるようにして一連の可聴音が発せられるよう、前記絵柄の変動表示の終了から次の変動表示の開始までの期間を含めて前記可聴音発生装置の出力を制御する可聴音制御手段と、
を備えたことを特徴とする遊技機。
【請求項３】
前記表示制御手段は、前記可聴音の出力開始に合わせて前記絵柄の変動表示を開始すると共に、前記可聴音が出力されている間に前記絵柄の変動表示を複数遊技回行い、前記可聴音の出力停止に合わせて前記絵柄の変動表示を終了するよう前記絵柄表示装置を制御することを特徴とする請求項１又は請求項２に記載の遊技機。
【請求項４】
前記可聴音制御手段は、通常時は絵柄の変動開始とともに可聴音の出力を開始し、絵柄の変動終了とともに可聴音の出力を停止するよう前記可聴音発生装置を制御し、所定条件の成立に伴い複数の遊技回に架かるようにして前記可聴音を出力するよう前記可聴音発生装置を制御することを特徴とする請求項１乃至請求項３のいずれかに記載の遊技機。
【請求項５】
前記絵柄の変動開始から変動終了までに要する絵柄変動時間を制御する時間制御手段を備え、
該時間制御手段は、前記絵柄変動時間を複数備え、前記所定条件の成立に伴い前記複数の絵柄変動時間を組み合わせることにより、その積算時間が前記可聴音の出力される可聴音出力時間となるよう時間制御を行うことを特徴とする請求項４に記載の遊技機。
【請求項６】
前記所定条件の成立に伴い、前記絵柄の変動開始から変動終了までに要する絵柄変動時間を通常時より短縮させる時間制御手段を備えたことを特徴とする請求項４に記載の遊技機。
【請求項７】
前記時間制御手段は、前記絵柄変動時間の整数倍が前記可聴音の出力される可聴音出力時間となるよう時間制御を行うことを特徴とする請求項６に記載の遊技機。
【請求項８】
前記時間制御手段は、前記絵柄変動時間を複数備え、該複数の絵柄変動時間を組み合わせることにより、その積算時間が前記可聴音出力時間となるよう時間制御を行うことを特徴とする請求項６又は請求項７に記載の遊技機。
【請求項９】
前記可聴音制御手段は、通常時と前記所定条件が成立した場合とで、同一の前記可聴音を出力するよう前記可聴音発生装置を制御することを特徴とする請求項６乃至請求項８のいずれかに記載の遊技機。
【請求項１０】
前記作動検出手段は前記時間制御手段を備えた主制御手段により構成され、
前記主制御手段は、前記絵柄変動時間を設定すると共に設定結果を前記表示制御手段に送信し、
該表示制御手段は、受信した前記絵柄変動時間に基づいて前記絵柄の変動及び停止表示に関わる具体的な変動態様を決定し、
前記絵柄表示装置は、前記表示制御手段が決定した前記絵柄の具体的な変動態様結果を表示画面上に表示することを特徴とする請求項５乃至請求項９のいずれかに記載の遊技機。
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
遊技者の始動操作によって役の抽選が実行され、図柄の変動後の停止図柄によって、前記抽選結果の当たり役又は外れを報知する図柄変動表示装置とを備え、複数設定された当たり役の何れかに当選し、かつ当該当たり役に対応する図柄が揃った場合には所定の配当を獲得することができる遊技機であって、
予め前記複数の当たり役を２以上の当たり役群に分類する当たり役分類手段と、
前記当たり役分類手段で分類したそれぞれの当たり役群に対応して設定された複数の抽選確率テーブルを記憶する抽選確率テーブル記憶手段と、
所定の遊技状態を契機に、前記抽選確率テーブル記憶手段から選択的に前記抽選確率テーブルの何れかを読み出して、前記抽選を実行させる抽選実行制御手段と、
を有する遊技機。
【請求項２】
前記当たり役群に含まれるそれぞれの当たり役が、当該当たり役群の間で重複しないように分類されることを特徴とする請求項１記載の遊技機。
【請求項３】
遊技者の始動操作によって役の抽選が実行され、図柄の変動後の停止図柄によって、前記抽選の結果の当たり役又は外れを報知する図柄変動表示装置とを備え、複数設定された当たり役の何れかに当選し、かつ当該当たり役に対応する図柄が揃った場合には所定の配当を獲得することができる遊技を実行し、該当たり役として、前記当たり役の配当分の遊技媒体が払い出される小役と、遊技者に有利な前記遊技に移行するＲＢ役と、該ＲＢ役よりもさらに遊技者に有利な前記遊技に移行するＢＢ役と、が設定された遊技機において、
前記小役とＲＢ役の抽選が実行され、ＢＢ役の抽選は行われない通常遊技モードにおいて適用される通常遊技モード抽選確率テーブルと、前記ＢＢ役の抽選が実行される特別遊技モードにおいて適用される特別遊技モード抽選確率テーブルと、をそれぞれ記憶する抽選確率テーブル記憶手段と、
該抽選確率テーブル記憶手段から、前記通常遊技モード用抽選確率テーブルおよび前記特別遊技モード用抽選確率テーブルを選択的に読み出して、前記抽選を実行する抽選実行制御手段と、
を有することを特徴とする遊技機。
【請求項４】
前記抽選実行制御手段は、前記ＲＢ役による前記遊技者に有利な遊技が終了したことを契機として前記特別遊技モード用抽選確率テーブルを読み出すことが可能であることを特徴とする請求項３に記載の遊技機。
【手続補正２】
【補正対象書類名】明細書
【補正対象項目名】００２３
【補正方法】変更
【補正の内容】
【００２３】
請求項２に記載の発明によれば、当たり役群に含まれるそれぞれの当たり役が、完全に分離され、当たり役群の間で同一の当たり役が重複しないように分類することで、全ての抽選確率テーブルを統合した当たり役の抽選確率のバランスを従前通りに維持し、かつそれぞれの当たり役の当たり時期を集中するといった、短期間でのメリハリを持たせることができる。
請求項３に記載の発明は、遊技者の始動操作によって役の抽選が実行され、図柄の変動後の停止図柄によって、前記抽選の結果の当たり役又は外れを報知する図柄変動表示装置とを備え、複数設定された当たり役の何れかに当選し、かつ当該当たり役に対応する図柄が揃った場合には所定の配当を獲得することができる遊技を実行し、該当たり役として、前記当たり役の配当分の遊技媒体（００２６）が払い出される小役（００８１）と、遊技者に有利な前記遊技に移行するＲＢ役（００３９）と、該ＲＢ役よりもさらに遊技者に有利な前記遊技に移行するＢＢ役（００３９）と、が設定された遊技機において、前記小役とＲＢ役の抽選が実行され、ＢＢ役の抽選は行われない通常遊技モード（００６７）において適用される通常遊技モード抽選確率テーブル（００７０，００７１）と、前記ＢＢ役の抽選が実行される特別遊技モード（（００６８）において適用される特別遊技モード抽選確率テーブル（００７０，００７２，０１０９）と、をそれぞれ記憶する抽選確率テーブル記憶手段と、該抽選確率テーブル記憶手段から、前記通常遊技モード用抽選確率テーブルおよび前記特別遊技モード用抽選確率テーブルを選択的に読み出して、前記抽選を実行する抽選実行制御手段と、を有することを特徴としている。
請求項４に記載の発明は、前記請求項３に記載の発明において、前記抽選実行制御手段は、前記ＲＢ役による前記遊技者に有利な遊技が終了したことを契機として前記特別遊技モード用抽選確率テーブルを読み出すことが可能であることを特徴としている。
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
遊技盤を見る窓が形成された前面扉を開閉可能に設けたパチンコ機において、
前記前面扉は前面側に外側から内側が透けて見える樹脂材料の窓枠体を形成すると共に該窓枠体の裏面に図柄意匠を描いた図柄意匠シートを装着し、前面扉の前面から前記窓枠体裏面の図柄意匠シートを視認可能に設けたことを特徴とするパチンコ機。
【請求項２】
前記図柄意匠シートは、不透明な紙、樹脂、布製シートからなり、各種図柄意匠が表示されたものであることを特徴とする請求項１記載のパチンコ機。
【手続補正２】
【補正対象書類名】明細書
【補正対象項目名】０００９
【補正方法】変更
【補正の内容】
【０００９】
本発明の請求項１の発明は、遊技盤を見る窓が形成された前面扉を開閉可能に設けたパチンコ機において、前記前面扉は前面側に外側から内側が透けて見える樹脂材料の窓枠体を形成すると共に該窓枠体の裏面に図柄意匠を描いた図柄意匠シートを装着し、前面扉の前面から前記窓枠体裏面の図柄意匠シートを視認可能に設けたことを特徴とするパチンコ機である。
【手続補正３】
【補正対象書類名】明細書
【補正対象項目名】００１１
【補正方法】変更
【補正の内容】
【００１１】
本発明の請求項２の発明は、請求項１記載の発明において、前記図柄意匠シートは、不透明な紙、樹脂、布製シートからなり、各種図柄意匠が表示されたものであることを特徴とするパチンコ機である。
【手続補正４】
【補正対象書類名】明細書
【補正対象項目名】００１２
【補正方法】変更
【補正の内容】
【００１２】
図柄意匠シートは、印刷容易な紙や樹脂製のシートであってもよく、また自然の布生地を表示してもよく、図柄が織り込まれた布生地を表示するようにしてもよく、更にまた、印刷カラー表示に夜光塗料など特殊なインクで表示したものを用いて、実際の使用される環境での照明具合に応じてカラー表示が変化する様に設けてもよい。これによって、これまでにない変化に富んだパチンコ機の前面表示が行えるものである。
【手続補正５】
【補正対象書類名】明細書
【補正対象項目名】００１３
【補正方法】変更
【補正の内容】
【００１３】
また、前記図柄意匠シートは、前記パチンコ機の表面を形成する窓枠体とガラス板を保持するガラス枠体との間に狭着するのが好ましい。
【手続補正６】
【補正対象書類名】明細書
【補正対象項目名】００１４
【補正方法】変更
【補正の内容】
【００１４】
即ち、前面扉は前記窓枠体の裏面にガラス枠体を組付けてガラス板を保持するのでので、このガラス枠体で前記図柄意匠シートを前部の窓枠体裏面に狭着し、一体の前面扉を形成することができる。
更に、図柄意匠シートは透明材料の窓枠体に装着してあればよく、窓枠体に保持する方法としては、図柄意匠シートの裏面からガラス板を保持するガラス枠体を窓枠体に組付けて狭着してもよい。また、別の図柄意匠シート押さえ部品で窓枠体裏面に保持しても良く、さらにガラス枠体に図柄意匠シートを貼付けこのガラス枠体を窓枠体に組付けて窓枠体裏面に図柄意匠シートを装着してもよい。また、窓枠体の図柄意匠装着部隅角部裏面に小突起を突出して設けこの小突起で図柄意匠シートを保持してもよい。
【手続補正７】
【補正対象書類名】明細書
【補正対象項目名】００１５
【補正方法】変更
【補正の内容】
【００１５】
また、前記窓枠体は、内側に装着した図柄意匠シートが透視できる無色透明ないし有色透明な樹脂材料からなる。
【手続補正８】
【補正対象書類名】明細書
【補正対象項目名】００１６
【補正方法】変更
【補正の内容】
【００１６】
例えば窓枠体をクリアな無色透明な樹脂材料で形成することができ、図柄意匠シートの図柄意匠通りの状態で前面に表示される。また窓枠体の成形材料に各種カラーが入った透けて見える樹脂材料で形成することもでき、この場合は、このカラーと共に図柄意匠シートの図柄が表示される。
【手続補正９】
【補正対象書類名】明細書
【補正対象項目名】００２３
【補正方法】変更
【補正の内容】
【００２３】
図２において、窓枠体２１の後面に、図柄意匠シート３１が上記各ランプ飾り２２、飾り窓２３、表示窓２４部分を除いて装着されている。図柄意匠シート３１は、表示側にパチンコ遊技機1の名称や遊技盤面の図柄・模様と関連する図柄・模様が描かれており、従来は単色でしか表現できない前面枠１０がパチンコ機1の名称や遊技盤面の図柄・模様とも関連して、全体がマッチングするようにカラーの図柄意匠が表側に記載され、表示される。
この図柄意匠シート３１は、印刷が容易で不透明な紙、樹脂、布製シート等が用いられる。不透明な紙や樹脂シートに印刷した場合、大量に安価に容易に図柄意匠３２を設けることが可能で、また図柄の変更も容易である。
更に図柄に夜光塗料などの特殊インキを用いることも可能で、照明によってカラーが変化する様に設ける事も可能である。また印刷が施されてなく、例えば各種無地の布及び模様や柄が織り込まれた布、また自然の木の葉や花びら等も意匠シート３１として表示できる。
【手続補正１０】
【補正対象書類名】明細書
【補正対象項目名】００２４
【補正方法】変更
【補正の内容】
【００２４】
なお、図柄意匠シート３１は1枚でなく、例えば右半分と左半分のシートを組み合わせても良く、更にキャラクターなどの図柄を部分的に適宜位置に挟みこむことも可能で、図柄意匠シートがいっそう容易に効果的に設けることができる。
上記の図柄意匠シート３１のランプ飾り２２、飾り窓２３、表示窓２４部分はくり貫かれており、この部分はランプ表示が行なわれるようにしてある。
この図柄意匠シート３１は、例えば意匠シート押さえ３３を用いて窓枠体２１の裏面に固定してもよく、また窓枠体２１に固定するガラス枠体４１によって狭着し保持してもよい。また窓枠体２１にシート保持用の小突起を四隅に突出させ、この小突起で図柄意匠シート３１を係止し保持するようにしても良い。
【手続補正書】
【提出日】平成17年2月28日(2005.2.28)
【手続補正１】
【補正対象書類名】明細書
【補正対象項目名】０００８
【補正方法】変更
【補正の内容】
【０００８】図面図１より図１０本考案輪ゴム掛けの実施例を説明する。図４にて輪ゴム固定器具１を手首近くの両腕部２どちらかにはめ込み図６輪ゴム脱着部３より輪ゴムを取り出す。図６にて手首近くの腕を外側え働く弾力１０を利用内側え働く弾力１１を利用図４にてはめ込み部２え装着。動作行動の中ミリ数におおじて逆転でも反動板対応もできる。図２にて１４−１４Ａが７のとっきの前にでてもよい。
【手続補正書】
【提出日】平成18年7月28日(2006.7.28)
【手続補正１】
【補正対象書類名】明細書
【補正対象項目名】００１１
【補正方法】変更
【補正の内容】
【００１１】
また、平滑部と凹凸域の境界部は、凹凸域が平滑部側に凸状に分布するよう配置したものであってもよい。
【手続補正２】
【補正対象書類名】明細書
【補正対象項目名】００２５
【補正方法】変更
【補正の内容】
【００２５】
また、実施例１から実施例３において、カップ本体（１）の内表面積に対する凹凸域（７）及び平滑部（８）の割合は各々異なっているが、凹凸域（７）をカップ本体（１）の内表面積の３０％〜７０％に形成するとともに、平滑部（８）を、カップ本体（１）の内表面積の７０％〜３０％に形成するものであればよい。
【手続補正書】
【提出日】平成18年7月11日(2006.7.11)
【手続補正１】
【補正対象書類名】明細書
【補正対象項目名】００２０
【補正方法】変更
【補正の内容】
【００２０】
発明９に係る電動リールは、発明１から８のいずれかに記載のリールにおいて、押圧機構は、モータの出力軸に装着されモータの逆転だけを伝達するローラ型のワンウェイクラッチと、ワンウェイクラッチの外周部に回転不能に装着され連動機構を押圧可能な押圧部材とを有する。この場合には、モータが糸巻取方向に回転しても押圧部材にその回転が伝達されない。このため、クラッチ機構をクラッチオフ状態にしてモータを正転させた糸送りモードのときに、押圧部材が連動機構に接触しても押圧しなくなり、糸送りモードを円滑に実施できる。
【手続補正２】
【補正対象書類名】明細書
【補正対象項目名】００３２
【補正方法】変更
【補正の内容】
【００３２】
また、カウンタ５の内部には、図１２に示すように、水深表示部９８やモータ４を制御するためのマイクロコンピュータからなるリール制御部１００が設けられている。リール制御部１００には、操作キー部９９と、スプールの速度や釣り糸の張力を調整するための調整レバー１０１と、スプール３の回転数と回転方向とを、たとえば回転方向に並べて配置された２つのリードスイッチで検出するスプールセンサ１０２と、各種の報知用のブザー１０３と、水深表示部９８と、モータ４をＰＷＭ（パルス幅変調）駆動するＰＷＭ駆動回路１０５と、他の入出力部とが接続されている。リール制御部１００は、調整レバー１０１の操作量に応じてモータ４の速度やトルクを制御する。また、スプールセンサ１０２の出力により釣り糸の先端に取り付けられる仕掛けの水深を算出し、それを水深表示部９８に表示する。さらに、操作キー部９９の操作により底位置や棚位置が設定されると、算出された水深と設定された底位置や棚位置とが一致して仕掛けが棚位置や底位置に到達したときに、モータ４を逆転させて第１クラッチ戻し機構１１を介してクラッチ切換機構８を動作させクラッチ機構７をクラッチオン状態に戻す。これにより、仕掛けがその位置に配置される。
【手続補正３】
【補正対象書類名】明細書
【補正対象項目名】００５６
【補正方法】変更
【補正の内容】
【００５６】
爪制御機構８４は、モータ４が正転すると爪車８１の突起部８１ａをかわす位置まで揺動爪８２を逆転許可位置側に揺動させるための機構である。爪制御機構８４は、機構装着軸７５の第１軸部７５ａに回転自在に装着され、外周に揺動爪８２を逆転禁止位置側に押圧するための突出した押圧部８５ａを有する静音カム８５と、静音カム８５の回動範囲を規制する回動規制部８６とを有している。静音カム８５は、第１軸部７５ａに摩擦係合しており、機構装着軸７５の回動に連動して同じ方向に回動するとともに、回動規制部８６によって静音カム８５の回動が規制されても機構装着軸７５は回転できるようになっている。回動規制部８６は、静音カム８５に径方向に突出して一体形成された係止片８６ａと、カバー部材２８に形成され係止片８６ａが係止される切欠き部８６ｂとを有している。切欠き部８６ｂは、カバー部材２８の円弧状の側面を揺動範囲だけ円弧状に切り欠いて形成されている。静音カム８５と爪車８１との間には、ワッシャ８７が装着されている。  
【手続補正４】
【補正対象書類名】明細書
【補正対象項目名】００７１
【補正方法】変更
【補正の内容】
【００７１】
そして、糸送りモードのときには、たとえば繰り出し量が所定量（たとえば、仕掛けの水深表示が６ｍ）を超えたり、スプール３の回転速度が所定速度を超えると、モータ４が糸巻取方向に回転する。このクラッチオフ状態では第２キャリア４６が回転するため、モータ４を正転させても遊星歯車機構４０は減速動作しないが、遊星歯車機構４０とスプール３との摩擦が減少し、スプール３が自由回転状態より高速で糸繰り出し方向に回転する。
【手続補正５】
【補正対象書類名】明細書
【補正対象項目名】００７３
【補正方法】変更
【補正の内容】
【００７３】
さらに、クラッチカム５１がクラッチオフ位置に回動すると、第１クラッチ戻し機構１１の連動機構８９の進退部材９６が、図８に示す係止位置から図９に示す解放位置に進出する。進退部材９６が解放位置に進出すると、第２ワンウェイクラッチ１０の揺動爪８２に第１接触部９６ａが接触して揺動爪８２を図８に示す逆転禁止位置から図９に示す逆転許可位置に揺動させる。この結果、モータ４が逆転可能状態になる。また進退部材９６が解放位置に進出すると、押圧部材９１の突起部９１ｂが押圧可能な位置に第２接触部９６ｂが配置される。
【手続補正６】
【補正対象書類名】明細書
【補正対象項目名】００７４
【補正方法】変更
【補正の内容】
【００７４】
仕掛けが所定の棚に配置されると、モータ４を逆転させるか、ハンドル２を糸巻取方向に回転させるか、又はクラッチ操作レバー５０をクラッチオン位置に揺動させスプール３の糸繰り出しを停止する。自動棚停止モードのときには、モータ４の逆転によりスプール３の糸繰り出しが自動的に棚位置で停止する。
【手続補正７】
【補正対象書類名】明細書
【補正対象項目名】００７５
【補正方法】変更
【補正の内容】
【００７５】
モータ４を逆転させると、第１クラッチ戻し機構１１によりクラッチオン状態に戻る。モータ４を逆転させると、図９に示すように、押圧部材９１が逆転（図９時計回りの回転）し、３つの突起部９１ｂのいずれかが進退部材９６の第２接触部９６ｂを押圧して進退部材９６を解放位置から係止位置に向けて後退させる。すると、第２レバー部材９５、連結軸９３を介して第１レバー部材９４に連結されたクラッチカム５１が図５時計回りに回動する。このとき、第１トグルばね６５の死点を超えるとクラッチカム５１がクラッチオン位置に戻り、これにより、進退部材９６も係止位置に戻る。また、クラッチカム５１が時計回りにクラッチオン位置に向けて回動すると、クラッチカム５１のカム突起５７ａ,５７ｂに乗り上げていたクラッチヨーク５２がカム突起５７ａ，５７ｂから下りて、コイルばね５４の付勢力によりスプール軸方向内方に移動する。この結果、ピニオンギア３５もスプール軸方向内方向に移動しクラッチオン位置に配置される。また、クラッチカム５１が図５時計回りに回動すると、第１突起部５６ａに係止されたクラッチ操作レバー５０もクラッチオン位置に揺動する。これにより、クラッチ操作レバー５０を操作することなくクラッチ機構７をクラッチオフ状態からクラッチオン状態にすることができる。また、進退部材９６が係止位置に戻ると、捩じりコイルばね８３により付勢された揺動爪８２は、逆転禁止位置に戻り、第１ワンウェイクラッチ９は逆転禁止状態になり、モータ４の逆転は禁止される。
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
内部に流体が流通される流通路が設けられたケーシングと、前記ケーシング内に配置され振動源に接続された軸部と該軸部の周囲に取り付けられた撹拌羽根とからなる撹拌体と、前記ケーシングの内部に原料を導入する原料導入口と、前記ケーシングの内部にスチームを導入する１つ以上のスチーム導入口と、を有することを特徴とする撹拌混合装置。
【請求項２】
請求項１に記載の撹拌混合装置において、前記ケーシングの内部には、前記流通路を仕切り板によって仕切った１つ以上の撹拌室が設けられ、前記スチーム導入口は、前記撹拌室の少なくとも１つに設けられていることを特徴とする撹拌混合装置。
【請求項３】
請求項１または２に記載の撹拌混合装置において、前記ケーシングの内部には、前記撹拌体を包囲するように取り付けられたフィルタが設けられていることを特徴とする撹拌混合装置。
【請求項４】
請求項１から請求項３のいずれか１項に記載の撹拌混合装置において、前記原料は、固体または粉体であって、スチーム量および／またはスチームの圧力を調整して前記原料を加熱および／または融解させることを特徴とする撹拌混合装置。
【請求項５】
請求項１から請求項３のいずれか１項に記載の撹拌混合装置において、前記原料は、液体または流体であって、スチーム量および／またはスチームの圧力を調整して前記液体または流体の粘度または反応を調節することを特徴とする撹拌混合装置。
【請求項６】
請求項１から請求項３のいずれか１項に記載の撹拌混合装置を用いた殺菌装置。
【請求項７】
請求項１から請求項３のいずれか１項に記載の撹拌混合装置を用いた洗浄装置。
【請求項８】
請求項１から請求項５のいずれか１項に記載の撹拌混合装置において、前記スチームは、水または有機溶媒のいずれか１種または２種以上の溶媒からなる蒸気であることを特徴とする撹拌混合装置。
【請求項９】
請求項６に記載の殺菌装置または請求項７に記載の洗浄装置において、前記スチームは、水またはアルコール類からなることを特徴とする殺菌装置または洗浄装置。
【手続補正２】
【補正対象書類名】明細書
【補正対象項目名】００１５
【補正方法】変更
【補正の内容】
【００１５】
（３）上記（１）または（２）に記載の撹拌混合装置において、前記ケーシングの内部には、前記撹拌体を包囲するように取り付けられたフィルタが設けられている撹拌混合装置である。
【手続補正書】
【提出日】平成18年4月18日(2006.4.18)
【手続補正１】
【補正対象書類名】特許請求の範囲
【補正対象項目名】請求項５
【補正方法】変更
【補正の内容】
【請求項５】
フミン酸を分解するのに十分な条件で、フミン酸を分解する能力を有する糸状不完全菌を、フミン酸を含む水に接触させることを特徴とする、フミン酸を含む水の処理方法。
【手続補正書】
【提出日】平成18年6月30日(2006.6.30)
【手続補正１】
【補正対象書類名】明細書
【補正対象項目名】００２０
【補正方法】変更
【補正の内容】
【００２０】
本発明の別の実施形態によれば、収容部は、上記吸着剤を圧密状態で収容したまま、上記槽容器の内部に嵌脱することが可能な構成を有する。このような構成によると、槽容器内に容積調整機構などの収容部の容積を調整するための構成を設ける必要がなくなる。また、収容部における吸着剤の圧密化は、収容部を吸着槽に組み込む前に予め行うことが可能となる。そのため、例えば吸着槽内に作業者が入って圧密化の作業を行う必要がなくなるのに加えて、吸着槽内では使用できない加圧装置を利用して圧密化を行うことが可能となるなど圧密化の作業性が向上する。
【手続補正２】
【補正対象書類名】明細書
【補正対象項目名】００２８
【補正方法】変更
【補正の内容】
【００２８】
ステー２３は、図１〜図３に示すように、仕切板２１，２２の各々に設けられた連結用貫通孔に挿通することによって、仕切板２１と仕切板２２とを連結するためのものであり、両端部には固定用ナット２４が係合可能な係合ネジ溝（図示せず）が設けられている。なお、ステー２３の配置数および配置場所は、必要に応じて任意に定めればよいが、図５に示すように、リブ２７上に配置するのが強度面で好ましい。
【手続補正３】
【補正対象書類名】図面
【補正対象項目名】図６
【補正方法】変更
【補正の内容】
【図６】
2005058902.tif 000001
【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  被検眼を撮影するための光学系と、該光学系により結像した被検眼の光学像を撮影する撮影手段と、該撮影手段によって撮影された画像と共に、入力手段によって入力された前記画像を画像処理するための画像処理パラメータを記録手段に保存させる保存手段と、該保存手段によって保存された画像の選択に伴って、前記選択された画像と共に保存された画像処理パラメータに基づいて前記選択された画像の画像処理を行う画像処理手段とを有することを特徴とする眼科用撮影装置。
【請求項２】  前記画像処理パラメータは、表示手段に表示させるときの前記画像の拡大率に関する情報を含むことを特徴とする請求項１に記載の眼科用撮影装置。
【請求項３】  前記画像処理パラメータは、前記画像上に表示させるためのマーカの位置に関する情報を含むことを特徴とする請求項１に記載の眼科用撮影装置。
【請求項４】  前記画像処理パラメータは、表示手段に表示させるときの前記画像の中心位置に関する情報を含むことを特徴とする請求項１に記載の眼科用撮影装置。
【手続補正２】
【補正対象書類名】明細書
【補正対象項目名】００１３
【補正方法】変更
【補正の内容】
【００１３】
【課題を解決するための手段】
上記目的を達成するための本発明に係る眼科用撮影装置は、被検眼を撮影するための光学系と、該光学系により結像した被検眼の光学像を撮影する撮影手段と、該撮影手段によって撮影された画像と共に、入力手段によって入力された前記画像を画像処理するための画像処理パラメータを記録手段に保存させる保存手段と、該保存手段によって保存された画像の選択に伴って、前記選択された画像と共に保存された画像処理パラメータに基づいて前記選択された画像の画像処理を行う画像処理手段とを有することを特徴とする。
【手続補正書】
【提出日】平成18年8月15日(2006.8.15)
【手続補正１】
【補正対象書類名】明細書
【補正対象項目名】発明の名称
【補正方法】変更
【補正の内容】
【発明の名称】歩行補助器具
【手続補正２】
【補正対象書類名】特許請求の範囲
【補正対象項目名】全文
【補正方法】変更
【補正の内容】
【特許請求の範囲】
【請求項１】
管状の支柱部と、前記支柱部から二股状に突出形成されたアーム部とからなるフォークと、
前記支柱部の上端に上下移動可能に取り付けられたシートと、
前記アーム部に回転自在に取り付けられた車輪と、
前記車輪の車軸に接続され、一方向の回転が付与された場合にその回転を前記車軸に伝達し、他方向の回転が付与された場合には前記車軸に対し空転するクラッチ手段と、
前記クラッチ手段に接続され、一の方向の操作により前記クラッチ手段を介して前記車輪を回転させ、他の方向の操作の際には前記クラッチ手段が空転する操作桿とを有してなることを特徴とする歩行補助器具。
【請求項２】
請求項１記載の歩行補助器具において、前記フォークに足置き台を設けたことを特徴とする歩行補助器具。
【請求項３】
請求項１又は２記載の歩行補助器具において、前記車輪の回転を制御するブレーキを前記フォークに取り付けると共に、前記ブレーキを操作するブレーキレバーを前記操作桿に設けたことを特徴とする歩行補助器具。
【請求項４】
請求項１〜３の何れか１項に記載の歩行補助器具において、前記支柱部の上端に上下移動可能なスコヤを取り付け、前記スコヤ上端に前記シートを取り付けることを特徴とする歩行補助器具。
【請求項５】
請求項１〜４の何れか１項に記載の歩行補助器具において、前記歩行補助器具は、前記アーム部の下端が固定され、前後と側方にそれぞれ補助輪を備えるフットパイプをさらに有することを特徴とする歩行補助器具。
【請求項６】
請求項５記載の歩行補助器具において、前記フットパイプに取り付けられ上方に延びる背もたれパイプと、前記背もたれパイプに取り付けられた布状の背もたれを有することを特徴とする歩行補助器具。
【請求項７】
請求項６記載の歩行補助器具において、前記背もたれは、当該歩行補助器具の使用者の重心位置を矯正する矯正バンドを有することを特徴とする歩行補助器具。
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い該抽選の結果が当たりのときには開閉可能な所定の入賞口を開放して遊技媒体を入賞し易くする遊技機であって、
遊技盤の所定位置に配置された遊技媒体保持手段と、
前記遊技媒体保持手段の姿勢につき該遊技媒体保持手段が遊技媒体を停留する停留姿勢又は該停留している遊技媒体を前記入賞口へ向かうよう停留を解除する解除姿勢のいずれかに切り替える姿勢切替手段と、
前記入賞口の開放前に前記遊技媒体保持手段が停留姿勢をとり前記入賞口の開放時又は開放後に前記遊技媒体保持手段が解除姿勢をとるよう前記姿勢切替手段を制御する姿勢切替制御手段と、
を備えた遊技機。
【請求項２】
請求項１に記載の遊技機であって、
前記所定条件が成立したときに該所定条件の成立を保留する保留手段を備え、
前記姿勢切替制御手段は、前記所定条件の成立後前記抽選の結果が外れで且つ前記保留手段によって前記所定条件の成立が保留されているときには前記遊技媒体保持手段が停留姿勢をとるよう前記姿勢切替手段を制御する、遊技機。
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
上板３と底板４とから成るサンダル台２に、バンド１を取り付けて成るサンダルであって、
前記上板３は、甲皮５と、サンダル台２の外側部に設けられる袴７とを具えて成り、この袴７を、光の反射機能を有するシート材により形成し、かかる構成によりサンダル台の全周またはほゞ全周を再帰反射させるようにしたものであり、
また前記反射機能を有する袴７には、実質的に光が当たる露見部分のみに反射機能を持たせ、甲皮５との接合部分や底板４との接合部分には反射機能を持たせないようにし、
またバンド１をサンダル台２に取り付けるにあたっては、バンド１の接合縁を甲皮５と袴７との間に挟み付けて取り付けるものであり、
また袴７をサンダル台２に取り付けるにあたっては、甲皮５との接合部分において袴７の接合縁を巻き込み状態に取り付けることを特徴とする光の反射機能を有するサンダル。
【手続補正２】
【補正対象書類名】明細書
【補正対象項目名】全文
【補正方法】変更
【補正の内容】
【発明の詳細な説明】
【発明の名称】光の反射機能を有するサンダル
【技術分野】
【０００１】
本発明は、サンダル台の外周面に光の反射機能を有するサンダルに関するものである。
【背景技術】
【０００２】
夜間や薄暗い時刻に路上にいると、人は自動車の運転者から見えにくゝて、自動車に衝てられたりする危険がある。そこで、自動車によるこのような危険を避けるために、路上で作業をする人は、光を反射する機能を有する作業衣や襷などを着用して、自動車の前照灯を当てられると、その光を反射して運転者に自己の存在が確実に認識されるようにしている。
しかしながら、日常生活において簡単な用事等で家の周辺や近隣に外出をするときに、このような特定の衣服などは着用することができない。尚、スポーツシューズやジョギングシューズ等の特殊な用途の靴にはアッパーの部位に光の反射機能を有する布材を取り付けたものも用いられている。
しかしながら、その反射性布材の取り付け位置は靴のアッパーの部位の側面と踵の後ろ面とに限られており、光を反射する面積が極めて狭いため自動車の運転者からは見えにくい。しかも寒い時期にはズボンやパンツをはく人が多く、殊に高齢者は足首を覆うような長めのものを履くことが多いので、このような履物では反射性布材がその裾により覆い隠されてしまってその機能を発揮することができない、と云う不具合があった。
かゝる不具合を解消するものとして本発明者はラインピースの周面に光の反射機能を持たせた履物を開発し、すでに特許出願に及んでいる。
【特許文献１】特願２００３−２７７９５５
【発明の開示】
【発明が解決しようとする課題】
【０００３】
解決しようとする問題点は、上記した新たな履物は前後左右、いずれの方向から当てられる光に対してもその光を反射するので、従来の靴に比べれば運転者からの見えやすさは格段に向上した。しかしながらラインピースは幅が数ミリメートル以下の狭いものに限られるため、反射光が充分には見えにくい、と云う不具合は完全には解消されてはいなかった点である。通常、簡単な用事等で家の周辺や近隣に外出をする人は、屋敷内で履用しているサンダルのまゝで路上に出ることが多いが、サンダルには光を反射する機能を有するものがなかったので自動車による危険に対処することができなかった点である。
【課題を解決するための手段】
【０００４】
本発明は、袴付けサンダルの袴を、光の反射機能を有するシート材により形成したことを最も主要な特徴とする。
【発明の効果】
【０００５】
本発明は、袴付けサンダルの袴を、光の反射機能を有するシート材により形成することにより、サンダル台の全周またはほゞ全周に光の反射機能を持たせたことを最も主要な特徴とする。この履物は、靴底などのほゞ全周にわたって光の反射機能を持たせることが出来、しかも、袴はサンダルから脱落することがないので、（袴がサンダルから脱落するとそのサンダルは破損したことゝなる）サンダルが使用可能な状態である限り光の反射機能が失われることはない、と云う利点がある。
【発明を実施するための最良の形態】
【０００６】
サンダルを履いた人の存在が確実に認識されるという目的を、従来から用いられている袴付けサンダルの製造方式と同様の方式により製造することが出来る、と云う状態にして実現した。
【実施例】
【０００７】
以下、本発明に係る光の反射機能を有するサンダルの１実施例を図面に基づいて詳細に説明する。
この実施例ではサンダルは、所謂「袴付けサンダル」と称ばれるもので、図中符号１はバンド、２はサンダル台であり、サンダル台２は上板３と底板４とから成る。
上板３は甲皮５と芯材６、及び袴７とにより構成されており、袴７には外側面に自動車の前照灯などの光を反射する機能を持たせてある。
サンダル台２を作るには、図２（イ）に示すように先ず甲皮５の周縁と袴７の上縁の接合代の表面側同士を重ねあわせ、（バンド１を取り付ける箇所では仮想線で示すように両者の間にその接合縁を挟み付けて）これらを接合し、次いでこの甲皮５の下に芯材６を宛がい、それに袴７の下縁を巻き込んで上板３を形成し、さらにその下側に底板４を接合させることによりサンダル台２とするのである。
ところで既に述べたように袴７には外側の面に光を反射する機能をもたせてある。反射機能をもたせる方式については特に限定はしない。通常のシート材にその機能を持たせる方式と同様である。また、反射機能をもたせる範囲について述べると、甲皮５との接合部分に巻き込まれる部分や底板４の下側に巻き込まれる部分などの、見えなくなり、光が当たらなくなる部分には、その機能を持たせる必要はない。要は、サンダル台２の外周面のほゞ全周にわたってなるべく広い範囲にその機能を持たせることが肝要である。
【産業上の利用可能性】
【０００８】
この発明はサンダルについて通常に行われている製造方式と同様の方式により製造をすることが出来るので、それだけ利用価値の高いものである。
【図面の簡単な説明】
【０００９】
【図１】サンダルの１実施例を示す斜視図である。
【図２】サンダル台の製造手順の１例を示す説明図である。
【符号の説明】
【００１０】
１      バンド
２      サンダル台
３      上板
４      底板
５      甲皮
６      芯材
【手続補正書】
【提出日】平成18年4月26日(2006.4.26)
【手続補正１】
【補正対象書類名】明細書
【補正対象項目名】００３４
【補正方法】変更
【補正の内容】
【００３４】
そして、エアゾール内容物を噴射するには、ポケットやカバンからエアゾール製品を外し、図９に示す如く、押釦(１０)を使用者の正面に向けた状態で、親指(２７)以外の４本の手指(２８)でエアゾール容器(１)を保持する。このように保持すると、右側９０°の位置にクリップ(２６)が配置されるので、このクリップ(２６)に親指(２７)を引掛けて手前側に弾く事により、図１０に示す如く、キャップ本体(２)の外面と押釦カバー(１６)の突当部(２１)との係合が解除され、押釦カバー(１６)を簡単に外す事ができる。また、粘着フィルム(２３)の止着により、押釦カバー(１６)の飛散や紛失を防ぐ事ができる。
【手続補正書】
【提出日】平成18年7月18日(2006.7.18)
【手続補正１】
【補正対象書類名】明細書
【補正対象項目名】０００２
【補正方法】変更
【補正の内容】
【０００２】
【従来の技術と発明が解決しようとする課題】
一般にビールや炭酸飲料などを入れる缶としては、有底円筒状の缶胴と蓋とよりなる、いわゆる２ピース缶が用いられている。このような缶胴としては、アルミニウムや鋼からなる金属素板に、絞り加工、再絞り加工および複数のしごきパスを含むしごき加工よりなる絞りしごき加工（ＤＩ加工）を施すことにより製造されたＤＩ缶胴が用いられている。
【手続補正２】
【補正対象書類名】図面
【補正対象項目名】図２
【補正方法】変更
【補正の内容】
【図２】
2001171661.tif 000001
【手続補正書】
【提出日】平成18年6月12日(2006.6.12)
【手続補正１】
【補正対象書類名】明細書
【補正対象項目名】０００６
【補正方法】変更
【補正の内容】
【０００６】
本発明は上記した従来の問題に鑑みなされたものであり、その目的とするところは、コーティングの品質または印刷の品質の向上を図るとともに、回転体の表面に傷を付けることを防止することにある。
【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】
ウェハ状基板Ｗの上に形成された被検査体の電気的特性検査を行うプローブ装置、該プローブ装置は下記を具備する：
プローバ室、該プローバ室は、上部壁及び側壁を有する；
該プローバ室内に配置され、複数の被検査体が形成されたウェハ状基板を載置するための載置台；
該プローバ室内に配置され、該載置台をＸ，Ｙ，Ｚ及びθ方向に移動する移動機構；
該プローバ室上部に配置されたプローブカード、該プローブカードは複数のプローブを有し、該載置台と対向して配置される；
第１の光学的測長器、該第１の光学的測長器は該載置台に載置された被検査体の表面に光を照射し、その反射光に基づいて前記被検査体のＺ軸方向の位置を測定する。
【請求項２】
さらに、該載置台に付設された基準面を具備する請求項１のプローブ装置、該基準面は、該第１の光学的測長器により測定されるＺ方向の位置の基準となる。
【請求項３】
前記第１の光学的測長器が照射する光は、レーザー光である、請求項１のプローブ装置。
【請求項４】
前記第１の光学的測長器が照射するレーザー光の直径は１０μｍ〜３０μｍである、請求項３のプローブ装置。
【請求項５】
前記第１の光学的測長器は、プローバ室内の上部壁及び側壁のいずれかに取り付けられる、請求項１に記載のプローブ装置。
【請求項６】
さらに、前記移動機構を制御するための制御装置を具備する、請求項１に記載のプローブ装置、ここにおいて、
前記第１の光学的測長器は、該載置台及び該載置台に載置された前記ウェハ状基板のいずれかの表面における複数箇所のＺ方向の位置を測定し、
該制御装置は、前記第１の光学的測長器が測定した複数箇所のＺ方向の位置に基づいて、前記表面における複数箇所のＺ方向の位置に関するマップを作成する。
【請求項７】
前記プローブカードのＺ方向の位置の変化を測定するための第２の光学的測長器をさらに具備する、請求項１に記載されたプローブ装置。
【請求項８】  
前記第２の光学的測長器が照射する光は、レーザー光である、請求項７のプローブ装置。
【請求項９】
さらに下記を具備する、請求項７に記載されたプローブ装置：
前記プローバ室の該上部壁に形成された開口部、該開口部は前記プローブカードの上部に位置される；
保持板、該保持板は該開口部を覆うように該上部壁の上に固定される；
前記第２の光学的測長器は、該保持板の下面に取り付けられる。
【請求項１０】
さらに、前記プローブカードを固定するためのプローブカード支持部材を具備する請求項９のプローブ装置、ここにおいて、
該プローブカード支持部材は該プローブカードの上部に取り付けられる；
前記第２の光学的測長器は、該プローブカード支持部材の上面を計測することにより前記プローブカードのＺ方向の位置の変化を測定する。
【請求項１１】
前記プローブカード支持部材は、該第２の光学的測長器により測定される箇所に測定用の光を反射する反射体を具備する、請求項１０のプローブ装置。
【請求項１２】
前記第２の光学的測長器は、前記プローブカードの側面を測定することにより該プローブカードのＺ方向の位置の変化を測定する、請求項７のプローブ装置。
【請求項１３】
前記プローブカードは、該第２の光学的測長器により測定される側面に測定用の光を反射する光学素子を具備する、請求項１２のプローブ装置。
【請求項１４】
下記を具備する、請求項２に記載されたプローブ装置において被検査体を検査する方法、該プローブ装置はさらに位置合わせ用の上カメラ及び下カメラを具備する：
（ａ）載置台上にウェハ状基板（Ｗ）を載置する；
（ｂ）プローブカードのＸ，Ｙ及びθ方向の位置を下カメラで撮像する；
（ｃ1）第1の光学的測長器により該載置台に付設した基準面のＺ方向の位置を測定する；
（ｃ2）載置台を上昇させ、該基準面をプローブに接触させることにより、該基準面と該プローブの間の距離を測定する；
（ｄ）被検査体のＸ，Ｙ及びθ方向の位置を上カメラで撮像する；
（ｅ）該第１の光学的測長器を用いて、被検査体の表面のＺ方向の位置を測定する；
（ｆ）上記及びの測定結果に基づき、該被検査体の表面と該プローブの先端との間の距離を決定する；
（ｇ）被検査体とプローブカードのＸ，Ｙ及びθ方向の位置を合わせる；
（ｈ）前記（ｆ）で決定した該被検査体と該プローブの間の距離に基づいて、該移動機構が該載置台をＺ方向に上昇させて、該被検査体を該プローブに接触させる；
（ｉ）該移動機構が該載置台をオーバードライブする；
（ｊ）該被検査体の電気的特性を測定する；
（ｋ）前記（ｊ）終了後、被検査体のサイズ分移動し、前記（ｈ）乃至（ｊ）を繰り返すことにより次の被検査体を測定する。
【請求項１５】
下記をさらに具備する、請求項１４の方法：
前記（ｅ）は、
（ｅ1）前記第１の光学的測長器は、該ウェハ状基板の表面の複数箇所におけるＺ方向の位置を測定する；及び、
（ｅ2）前記（ｅ1）で測定された該ウェハ状基板の表面上の複数箇所におけるＺ方向の位置に関するマップを作成する；を具備し、
前記（ｆ）は、前記（ｃ）及び該（ｅ2）で作成された該マップに基づいて、前記移動機構が該載置台をＺ方向に移動させて、被検査体をプローブに接触させる。
【請求項１６】
さらに下記を具備する、請求項１４に記載の方法、ここで使用されるプローブ装置は、第２の光学的測長器を具備する：
（ｂ2）前記（ｂ）に続いて、第２の光学的測長器は前記プローブカードのＺ方向の位置を測定する；
前記（ｆ）は、（ｃ）及び（ｅ）に加えて該（ｂ2）の測定結果に基づいて、該被検査体と該プローブの間の距離を決定する。